(57)【要約】【課題】第一層目を粗粒の鉄鉱石、第二層目を細粒の鉄鉱石およびＳｉＯ２  含有原料、第三層目を固体燃料系粉原料および石灰石系粉原料とした三層からなる擬似粒子原料を、効率的に製造することができる焼結用原料の製造方法を提供する。【解決手段】焼結原料をドラムミキサーを用いて造粒するに際し、ドラムミキサーの装入口から固体燃料系粉原料および石灰石系粉原料を除く焼結原料を装入すると共に造粒用水分をその全添加水分量に対する重量比が前記装入する焼結原料量の全添加焼結原料量に対する重量比よりも大きい重量比で添加して焼結原料を造粒し、焼結原料がドラムミキサーの排出口に到達するまでの滞留時間が１０〜９０秒範囲となる下流側途中に設定した領域で固体燃料系粉原料および石灰石系粉原料を添加し、この添加時に、残余の造粒用水分を添加して、排出口に至る間に固体燃料系粉原料および石灰石系粉原料を焼結原料の外装部に付着・形成する。【選択図】      図１２
2004190045.tif 000002
【特許請求の範囲】
【請求項１】
下方吸引のドワイトロイド式焼結機を用いて高炉用焼結鉱を製造するプロセスの事前処理として、鉄鉱石、ＳｉＯ２  含有原料、石灰石系粉原料および固体燃料系粉原料からなる焼結原料をドラムミキサーを用いて造粒するに際し、前記ドラムミキサーの装入口から固体燃料系粉原料および石灰石系粉原料を除く焼結原料を装入すると共に造粒のために添加する造粒用水分をその全添加水分量に対する重量比が前記装入する焼結原料量の全添加焼結原料量に対する重量比よりも大きい重量比で添加して焼結原料を造粒し、該焼結原料が前記ドラムミキサーの排出口に到達するまでの滞留時間が１０〜９０秒範囲となる下流側途中に設定した領域で固体燃料系粉原料および石灰石系粉原料を添加し、該固体燃料系粉原料および石灰石系粉原料の添加時に、残余の造粒用水分を添加して、排出口に至る間に固体燃料系粉原料および石灰石系粉原料を焼結原料の外装部に付着・形成することを特徴とする焼結用原料の製造方法。
【請求項２】
下方吸引のドワイトロイド式焼結機を用いて高炉用焼結鉱を製造するプロセスの事前処理として、鉄鉱石、ＳｉＯ２  含有原料、石灰石系粉原料および固体燃料系粉原料からなる焼結原料をドラムミキサーを用いて造粒するに際し、前記ドラムミキサーの装入口から固体燃料系粉原料および石灰石系粉原料を除く焼結原料を装入すると共に造粒のために添加する全造粒用水分を添加して焼結原料を造粒し、該焼結原料が前記ドラムミキサーの排出口に到達するまでの滞留時間が１０〜９０秒範囲となる下流側途中に設定した領域で固体燃料系粉原料および石灰石系粉原料を添加し、排出口に至る間に固体燃料系粉原料および石灰石系粉原料を焼結原料の外装部に付着・形成することを特徴とする焼結用原料の製造方法。
【請求項３】
前記焼結原料がドラムミキサーの排出口に到達するまでの滞留時間が１０〜９０秒範囲となる下流側途中に設定した領域で添加する前記固体燃料系粉原料および石灰石系粉原料を、乾燥状態で添加することを特徴とする請求項１又は２記載の焼結用原料の製造方法。
【発明の詳細な説明】
【０００１】
【発明の属する技術分野】
本発明は、下方吸引のドワイトロイド式焼結機を用いて高炉用焼結鉱を製造する際に用いる焼結用原料の製造方法に関するものである。
【０００２】
【従来の技術】
高炉用原料として用いられる焼結鉱は、一般的に次のような焼結原料の処理方法を経て製造されている。図１に示すように、まず、粒径が１０ｍｍ以下の鉄鉱石１、珪石、蛇紋岩、またはニッケルスラグなどからなるＳｉＯ２  含有原料２、石灰石などのＣａＯを含有する石灰石系粉原料３、および粉コークスまたは無煙炭などの熱源となる固体燃料系粉原料４をドラムミキサー５を用いて、これに適当量の水分を添加して混合、造粒して擬似粒子と呼ばれる造粒物を形成する。この造粒物からなる配合原料は、ドワイトロイド式焼結機のパレット上に適当な厚さ例えば５００〜７００ｍｍになるように装入して表層部の固体燃料に着火し、着火後は下方に向けて空気を吸引しながら固体燃料を燃焼させ、その燃焼熱によって配合した焼結原料を焼結させて焼結ケーキとする。この焼結ケーキは破砕、整粒され、一定の粒径以上の焼結鉱を得る。一方、それ未満の粒径を有するものは返鉱となり、焼結原料として再利用される。
【０００３】
このように製造された成品焼結鉱の被還元性は、従来から指摘されているように、とくに高炉の操業を大きく左右する因子となる。通常、焼結鉱の被還元性はＪＩＳＭ８７１３で定義されており、ここでは、焼結鉱の被還元性をＪＩＳ−Ｒ１と記す。
図２に示すように、焼結鉱の被還元性（ＪＩＳ−Ｒ１）と高炉でのガス利用率（ηＣＯ）との間には正の相関があり、また、図３に示すように、高炉でのガス利用率（ηＣＯ）と燃料比との間には負の相関がある。このため、焼結鉱の被還元性（ＪＩＳ−Ｒ１）は、高炉でのガス利用率（ηＣＯ）を介して燃料比と良好な負の相関があり、焼結鉱の被還元性を向上させると、高炉での燃料比は低下する。
【０００４】
なお、ここで、ガス利用率（ηＣＯ）及び燃料比は、下記の通り定義される。
ガス利用率（ηＣＯ）＝ＣＯ２  （％）／［ＣＯ（％）＋ＣＯ２  （％）］
ここで、ＣＯ（％）、ＣＯ２  （％）は、いずれも高炉の炉頂ガス中の体積％である。
燃料比＝（石灰＋コークス）の使用量（ｋｇ）／銑鉄（１ｔｏｎ）
さらに、製造された成品焼結鉱の冷間強度も高炉での通気性を確保する上での重要な因子であり、各々の高炉では、冷間強度の下限基準を設けて、操業を行っている。従って、高炉にとって望ましい焼結鉱とは、被還元性に優れ、冷間強度が高いものであると言える。
【０００５】
表１に焼結鉱を形成する主要鉱物組織であるカルシウムフェライト（ＣＦ）：ｎＣａＯ・Ｆｅ２  Ｏ３  、ヘマタイト（Ｈｅ）：Ｆｅ２  Ｏ３  、カルシウムシリケート（ＣＳ）：ＣａＯ・ＳｉＯ２  、マグネタイト（Ｍｇ）：Ｆｅ３  Ｏ４  の４つの被還元性、引張強度を示す。表１に示すように、被還元性の高いものはヘマタイト（Ｈｅ）であり、引張強度の高いものはカルシウムフェライト（ＣＦ）である。
【０００６】
【表１】
2004190045.tif 000003
【０００７】
本発明が目的とする望ましい焼結鉱組織とは、図４に示すように、塊表面に強度の高いカルシウムフェライト（ＣＦ）を、塊内部に向かっては被還元性の高いヘマタイト（Ｈｅ）を選択的に生成させたものであり、被還元性や強度が低いカルシウムシリケート（ＣＳ）は可能な限り生成させないようにすべきである。
【０００８】
しかし、従来は、前述したように鉄鉱石、ＳｉＯ２  含有原料、石灰石系粉原料、固体燃料系粉原料を同時に混合・造粒しているため、図５に示すように、擬似粒子構造では粗粒の核鉱石の周囲に粉鉱石、石灰、コークスが混在しており、焼結により得られた焼結鉱構造ではヘマタイト（Ｈｅ）、カルシウムフェライト（ＣＦ）、カルシウムシリケート（ＣＳ）、マグネタイト（Ｍｇ）の４つの鉱物組織が混在することになる。
【０００９】
そこで、本出願人は特許文献１にて、高炉用焼結鉱を製造する焼結用擬似粒子原料として、平均粒径が２ｍｍ以上の粗粒の鉄鉱石を核とする第一層を有し、その第一層の外表面を固体燃料系粉原料および石灰石系粉原料以外の平均粒径が２ｍｍ以下の鉄鉱石およびＳｉＯ２  含有原料を付着させた第二層を有するとともに、さらに第三層目として固体燃料系粉原料および石灰石粉原料を付着させる焼結用擬似粒子を得ることが最適であることを見出した。この擬似粒子原料は、焼結過程でＣａＯとＳｉＯ２  の反応が遅れ、冷間強度の低いカルシウムシリケート（ＣＳ）の生成が抑制され、塊表面に強度の高いカルシウムフェライト（ＣＦ）が、塊内部に向かっては被還元性の高いヘマタイト（Ｈｅ）が選択的に生成され、微細気孔が多く、被還元性に優れ冷間強度の高い焼結鉱が安定して製造可能になるのである。
【００１０】
【特許文献１】
国際公開番号ＷＯ０１／  ９２５８８号公報
【００１１】
【発明が解決しようとする課題】
しかしながら、特許文献１に開示された焼結用原料の製造方法にあっては、焼結原料の造粒順序を、固体燃料系粉原料および石灰石系粉原料を除いた焼結原料をまず造粒することにより、平均粒径が２ｍｍ以上の粗粒の鉄鉱石を核として、その外表面に固体燃料系粉原料および石灰石系粉原料以外の平均粒径が２ｍｍ以下の鉄鉱石およびＳｉＯ２  含有原料を付着させた第二層を有する造粒粒子を得て、その後に添加する固体燃料系粉原料および石灰石系粉原料を外層部分とするいわゆる三層からなる擬似粒子原料を得るが、この擬似粒子原料の生産率、焼結時間等に改善の余地があった。
【００１２】
従って、本発明は上述の問題点に鑑みてなされたものであり、その目的は、第一層目を粗粒の鉄鉱石、第二層目を細粒の鉄鉱石およびＳｉＯ２  含有原料、第三層目を固体燃料系粉原料および石灰石系粉原料とした三層からなる擬似粒子原料を、効率的に製造することができる焼結用原料の製造方法を提供することにある。
【００１３】
【課題を解決するための手段】
上記諸問題を解決するため、本発明のうち請求項１に係る焼結用原料の製造方法は、下方吸引のドワイトロイド式焼結機を用いて高炉用焼結鉱を製造するプロセスの事前処理として、鉄鉱石、ＳｉＯ２  含有原料、石灰石系粉原料および固体燃料系粉原料からなる焼結原料をドラムミキサーを用いて造粒するに際し、前記ドラムミキサーの装入口から固体燃料系粉原料および石灰石系粉原料を除く焼結原料を装入すると共に造粒のために添加する造粒用水分をその全添加水分量に対する重量比が前記装入する焼結原料量の全添加焼結原料量に対する重量比よりも大きい重量比で添加して焼結原料を造粒し、該焼結原料が前記ドラムミキサーの排出口に到達するまでの滞留時間が１０〜９０秒範囲となる下流側途中に設定した領域で固体燃料系粉原料および石灰石系粉原料を添加し、該固体燃料系粉原料および石灰石系粉原料の添加時に、残余の造粒用水分を添加して、排出口に至る間に固体燃料系粉原料および石灰石系粉原料を焼結原料の外装部に付着・形成することを特徴としている。
【００１４】
また、本発明のうち請求項２に係る焼結用原料の製造方法は、下方吸引のドワイトロイド式焼結機を用いて高炉用焼結鉱を製造するプロセスの事前処理として、鉄鉱石、ＳｉＯ２  含有原料、石灰石系粉原料および固体燃料系粉原料からなる焼結原料をドラムミキサーを用いて造粒するに際し、前記ドラムミキサーの装入口から固体燃料系粉原料および石灰石系粉原料を除く焼結原料を装入すると共に造粒のために添加する全造粒用水分を添加して焼結原料を造粒し、該焼結原料が前記ドラムミキサーの排出口に到達するまでの滞留時間が１０〜９０秒範囲となる下流側途中に設定した領域で固体燃料系粉原料および石灰石系粉原料を添加し、排出口に至る間に固体燃料系粉原料および石灰石系粉原料を焼結原料の外装部に付着・形成することを特徴としている。
【００１５】
更に、本発明のうち請求項３に係る焼結用原料の製造方法は、請求項１又は２記載の発明において、前記焼結原料がドラムミキサーの排出口に到達するまでの滞留時間が１０〜９０秒範囲となる下流側途中に設定した領域で添加する前記固体燃料系粉原料および石灰石系粉原料を、乾燥状態で添加することを特徴としている。
【００１６】
【発明の実施の形態】
次に本発明を完成するに至った経緯及び本発明の実施形態を図面を参照して説明する。なお、造粒された焼結原料は、焼結機に供給された焼結鉱となり、高炉装入原料として供されるが、高炉への装入に際し例えば５ｍｍ以下の焼結鉱は篩い分けられ、この除去された細粒の焼結鉱は返鉱として再度焼結原料として利用される。本発明において、焼結用原料の鉄鉱石とは、鉄鉱石粉および再び焼結原料として利用される返鉱を当然のことながら含むものであり、これを総称して鉄鉱石として以下本発明を説明する。
【００１７】
本発明者らは、種々の検討を重ねた結果、ＳｉＯ２  を多く含有する鉄鉱石やＳｉＯ２  含有原料を、石灰石系粉原料と固体燃料系粉原料から分離して造粒すること、及び石灰石系粉原料と固体燃料系粉原料を造粒の後半の過程で添加してさらに造粒することで、石灰石系粉原料と固体燃料系原料を焼結原料の外装部に付着・形成させＣａＯとＳｉＯ２  の反応を遅らせ、被還元性が悪く、冷間強度も低いカルシウムシリケート（ＣＳ）の生成を抑制する。これにより焼結鉱表面に強度の高いカルシウムフェライト（ＣＦ）を、焼結鉱内部に向かっては被還元性の高いヘマタイト（Ｈｅ）を選択的に生成させた焼結鉱が形成されることを見出した。
【００１８】
しかし、石灰石系粉原料と固体燃料系粉原料を焼結原料の外装部に付着・形成のために添加する時間の設定、すなわち、造粒されつつある焼結原料に対し石灰石系粉原料と固体燃料系粉原料を添加した後、該焼結原料がドラムミキサーの排出口に到達するまでの添加後の滞留時間、所謂石灰石系粉原料と固体燃料系粉原料を焼結原料の外装部に付着・形成させるための添加後の造粒時間（以降、単に外装時間と呼ぶ）の設定によって、大きく効果が異なることを見出した。
【００１９】
そして、本発明者らは、図６に示すように、石灰石系粉原料および固体燃料系粉原料を除く焼結原料の造粒時間を一定として、石灰石系粉原料および固体燃料系粉原料の外装時間を６０秒から３６０秒で変化させた実験を実施した。
その結果、図７のように、外装時間が長くなるとともに、被還元性の向上に有効な０．５ｍｍ以下の微細気孔が減少し、被還元性が低下することが分かり、石灰外装時間は９０秒以下が望ましいことが分かった。また、別の実験より、外装時間が１０秒を下回ると、外装時間不足により、添加した石灰石系粉原料および固体燃料系粉原料が原料中の一部分に偏析を起こし、均一な焼結状態が得られず、本発明の効果が発揮されないこととなった。
【００２０】
ここで、外装時間が１０秒から９０秒という外装領域は、ドラムミキサー内での焼結原料の転動回数で言うと、２回転から３６回転に相当する。
図８に電子線マイクロアナライザー（以下単にＥＰＭＡと呼ぶ）による焼結原料の擬似粒子中のＣａとＦｅの分布状況を調査した結果を示す。これより、適切な外装時間（本例は６０秒）をとると、Ｃａの分布が外輪状となり、外装化が達成されていることが確認できるが、一方、外装時間を長くすると、ドラムミキサー内で粒子が壊れ、石灰石が擬似粒子内に取り込まれる結果、Ｃａは全体に分布して、従来法と変化が無くなっていることが確認された。
【００２１】
つまり、ドラムミキサー内では、造粒だけでなく、擬似粒子の破壊も同時に進行していることから、外装時間を長くとりすぎると外装のために添加した石灰石系粉原料および固体燃料系粉原料が擬似粒子の破壊により内部に取り込まれて、内外装ともに存在することになり、塊表面には強度の高いカルシウムフェライト（ＣＦ）を、一方、塊内部に向かっては被還元性の高いヘマタイト（Ｈｅ）を選択的に生成させた構造の焼結鉱を得ることができないことが確認でき、外装時間の適正な選定が重要であることが判った。
【００２２】
また、先程も述べたように、外装時間を短くしすぎては、添加した石灰石系粉原料および固体燃料系粉原料が焼結原料の中で、偏析してしまい、焼結機上でのムラ焼けの原因となる。そこで、、本発明者らが調査した結果、偏析しないためには、外装時間は１０秒以上は必要と分かった。すなわち、外装時間は厳密な条件下にあり、単に後半部分においての添加では内装化されてしまう欠点があった。
【００２３】
本発明での前記外装時間の条件を満たすことにより、石灰石系粉原料および固体燃料系粉原料が内部に取り込まれることなく、初めて外装化されることになり、ＳｉＯ２  含有原料を、石灰石系粉原料から分離した、石灰石のない状態で焼結用原料を製造することが達成されるのである。これにより、ＣａＯとＳｉＯ２  の反応を遅らせ、被還元性が悪く、冷間強度も低いカルシウムシリケート（ＣＳ）の生成を抑制することができる。
【００２４】
そして、本発明では、外装化された石灰石系粉原料と鉄鉱石の界面でカルシウムフェライト（ＣＦ）系融液を生成させ、鉄鉱石の周囲を覆うことにより、十分な冷間強度を発揮させるのである。この焼結用原料を用い焼結することにより、前記したごとく塊表面に強度の高いカルシウムフェライト（ＣＦ）を、塊内部に向かっては被還元性の高いヘマタイト（Ｈｅ）を選択的に生成させた焼結鉱が形成されることになる。
【００２５】
また、通常、造粒には、鉄鉱石、ＳｉＯ２  含有原料、石灰石系粉原料および固体燃料系粉原料からなる焼結原料の全重量に対して重量比で５〜８％程度の造粒用水分を加えるが、この造粒用水分の添加時期は、原料の装入時点と一致させるのが定法であったが、本発明の造粒の際に使用する造粒用水分調整のための造粒用水分の添加量について探求した。
【００２６】
図９は、造粒用水分の配分効果を見るための実験装置を示し、ドラムミキサー１００の装入口入側に一次注水ノズル１０１を設け、排出口出側に二次注水ノズル１０２を設け、ドラムミキサー１００の装入口及び排出口のそれぞれから造粒用水分調整のための造粒用水分を添加できるようにしたものである。
図９に示す装置において、石灰石系粉原料および固体燃料系粉原料を除く焼結原料、即ち、鉄鉱石、ＳｉＯ２  含有原料は、ドラムミキサー１００の装入口から装入され、混合・造粒されつつ図中右側に移動して行き、下流側で残余の焼結原料、即ち石灰石系粉原料および固体燃料系粉原料が装入されて排出口に至る間に固体燃料系粉原料および石灰石系粉原料が焼結原料の外装部に付着・形成されるようになっている。
【００２７】
図９に示す装置においては、一例として、石灰石系粉原料および固体燃料系粉原料を除く焼結原料は全添加焼結原料量に対して重量比で８５％であり、石灰石系粉原料および固体燃料系粉原料は全添加焼結原料量に対して重量比で１５％であり、それら原料に対して造粒のために一次注水ノズル１０１及び二次注水ノズル１０２のそれぞれから造粒用水分調整のための造粒用水分が添加されるようになっている。
【００２８】
なお、通常行われる定法においては、造粒のために鉄鉱石、ＳｉＯ２  含有原料、石灰石系粉原料および固体燃料系粉原料からなる焼結原料の全重量に対して重量比で５〜８％程度の造粒用水分を加えるが、この造粒用水分の添加時期は、原料の装入時点と一致させるようになっている。そして、図９の装置における前述の例では、ドラムミキサー１００の装入口から装入される石灰石系粉原料および固体燃料系粉原料を除く焼結原料は全添加焼結原料量に対して重量比で８５％であることから、一次注水ノズル１０１から造粒用水分をその全添加水分量に対する重量比が前記装入する焼結原料量の全添加焼結原料量に対する重量比８５％と同じ重量比８５％で添加し、また、二次注水ノズル１０２から重量比で全添加水分量の残りの１５％が石灰石系粉原料および固体燃料系粉原料の添加と同時に添加される。これが通常行われる定法である。なお、ドラムミキサーの装入口から焼結原料の全量を装入する場合には造粒用水分の全量をドラムミキサーの装入口から添加するのが定法である。
【００２９】
表２には図９に示す装置において一次注水ノズル及び二次注水ノズルのそれぞれから添加される造粒用水分の配分（全造粒用水分に対する一次注水及び二次注水の割合）を示し、図１０には表２に示す造粒用水分の配分で添加して製造した場合の焼結用原料の生産率、歩留、焼結時間、擬似粒子径の変化の結果を示す。
【００３０】
【表２】
2004190045.tif 000004
【００３１】
図１０において、「通常造粒」とは、焼結原料を全量、ドラムミキサー１００の装入口から装入して造粒するもので、造粒用水分は全量ドラムミキサー１００の装入口から添加されるものである。
図１０を参照すると、本発明のいわゆる三層造粒（一層目粗粒、二層目細粒、三層目石灰石・固体燃料）であって、一次注水ノズル１０１から造粒用水分をその全添加水分量に対する重量比が装入する焼結原料量の全添加焼結原料量に対する重量比８５％と同じ重量比８５％で添加し、また、二次注水ノズル１０２から重量比で全添加水分量の残りの１５％を石灰石系粉原料および固体燃料系粉原料の添加と同時に添加したものは、通常造粒と比較して、歩留を除く、残り全ての項目に対して有利な効果が得られた。生産率については、１．５ｔ／  ｈｒ／  ｍ３  から１．５７５ｔ／  ｈｒ／  ｍ３  に向上し、擬似粒子径については１．７６ｍｍから１．８５ｍｍに大きくなっている。擬似粒子径が大きくなったことにより、焼結時間も１４分１５秒から１２分４５秒に短縮した。歩留については、７５％から７０％に若干の減少となっている。
【００３２】
また、これらの成績は造粒用水分の添加時期及び添加量の配分を変更することにより向上する。すなわち、本発明のいわゆる三層造粒であって、一次注水ノズル１０１から造粒用水分をその全添加水分量に対する重量比が装入する焼結原料量の全添加焼結原料量に対する重量比８５％よりも大きい重量比９５％で添加し、また、二次注水ノズル１０２から重量比で全添加水分量の残りの５％を石灰石系粉原料および固体燃料系粉原料の添加と同時に添加したものは、前述した造粒より、さらに生産率は向上し、歩留も向上を始め、擬似粒子径もさらに向上する結果、焼結時間も短縮した。即ち、生産率については、１．５７５ｔ／  ｈｒ／  ｍ３  から１．６ｔ／  ｈｒ／  ｍ３  に向上し、歩留については７０％から７１％に向上し、擬似粒子径については１．８５ｍｍから１．８９ｍｍに大きくなっている。擬似粒子径が大きくなったことにより、焼結時間も１２分４５秒から１２分３０秒に短縮した。
【００３３】
さらに、本発明のいわゆる三層造粒であって、一次注水ノズル１０１から全造粒用水分を添加して造粒したものは、生産率、歩留、擬似粒子径、焼結時間について最高のデータを示した。即ち、生産率については、１．６２５ｔ／  ｈｒ／  ｍ３  に向上し、歩留については７２％に向上し、擬似粒子径については１．９３ｍｍに大きくなっている。擬似粒子径が大きくなったことにより、焼結時間も１２分２０秒に短縮した。
【００３４】
即ち、本発明の三層造粒になる造粒法では、一層目粗粒、二層目、細粒、三層目石灰石・固体燃料の構成で生産率、擬似粒子径の向上、擬似粒子径の向上に伴う焼結時間の短縮効果が発揮されるが、それに加えて造粒用水分の配分を、石灰石系粉原料および固体燃料系粉原料を除く焼結原料を装入する際に、予め過剰に配分して造粒用水分を加えておくことにより、二層目の表面に石灰石系粉原料および固体燃料系粉原料を付着しやすくしたものである。
【００３５】
従って、焼結原料をドラムミキサーを用いて造粒するに際し、ドラムミキサーの装入口から固体燃料系粉原料および石灰石系粉原料を除く焼結原料を装入すると共に造粒のために添加する造粒用水分をその全添加水分量に対する重量比が前記装入する焼結原料量の全添加焼結原料量に対する重量比よりも大きい重量比で添加して焼結原料を造粒し、焼結原料がドラムミキサーの排出口に到達するまでの滞留時間が１０〜９０秒範囲となる下流側途中に設定した領域で固体燃料系粉原料および石灰石系粉原料を添加し、この固体燃料系粉原料および石灰石系粉原料の添加時に、残余の造粒用水分を添加して、排出口に至る間に固体燃料系粉原料および石灰石系粉原料を焼結原料の外装部に付着・形成すると、定法の装入量に従う造粒用水分の配分に比べ、生産率、歩留、焼結時間、擬似粒子径の向上が実現できる。
【００３６】
また、焼結原料をドラムミキサーを用いて造粒するに際し、ドラムミキサーの装入口から固体燃料系粉原料および石灰石系粉原料を除く焼結原料を装入すると共に造粒のために添加する全造粒用水分を添加して焼結原料を造粒し、焼結原料が前記ドラムミキサーの排出口に到達するまでの滞留時間が１０〜９０秒範囲となる下流側途中に設定した領域で固体燃料系粉原料および石灰石系粉原料を添加し、排出口に至る間に固体燃料系粉原料および石灰石系粉原料を焼結原料の外装部に付着・形成することにより、生産率、歩留、焼結時間、擬似粒子径の向上効果を最大限に発揮させることができる。
【００３７】
さらに、焼結原料がドラムミキサーの排出口に到達するまでの滞留時間が１０〜９０秒範囲となる下流側途中に設定した領域で添加する固体燃料系粉原料および石灰石系粉原料を、乾燥状態で添加すると、排出口に至る間に固体燃料系粉原料および石灰石系粉原料を焼結原料の外装部に付着・形成することが容易となり、生産率、歩留、焼結時間、擬似粒子径の向上効果を最大限に発揮させることができる。
【００３８】
本発明になる造粒フロー例（方法Ａ）を図１１及び図１２に示す。
図１１に示すように、ドラムミキサーの装入側からは、石灰石系粉原料３および固体燃料系粉原料４である石灰石、粉コークスを除く焼結原料、即ち鉄鉱石及びＳｉＯ２  含有原料が装入され、また、外装時間を制御するため、前記石灰石、粉コークスは、ドラムミキサーの排出側から添加される。そして、造粒のために添加する造粒用水分をドラムミキサーの装入側及び排出側のそれぞれから添加する。図１２はその具体例であって、ドラムミキサー５の装入口入側に一次注水ノズル５ａを設け、排出口出側に二次注水ノズル５ｂを設け、一次注水ノズル５ａから装入口を経て造粒のために添加する造粒用水分をその全添加水分量に対する重量比が装入する焼結原料１，２の原料量の全添加焼結原料量に対する重量比よりも大きい重量比で添加して焼結原料を造粒し、ドラムミキサー５の排出側からの固体燃料系粉原料４および石灰石系粉原料３の添加時に、二次注水ノズル５ｂから残余の造粒用水分を添加するようにしている。そして、ドラムミキサー５の排出側からの固体燃料系粉原料３および石灰石系粉原料４の添加に際し、焼結用原料が排出口に到達するまでの滞留時間が１０〜９０秒範囲となるドラムミキサー５の下流側途中に設定した外装領域にあわせて、下流側排出口からドラムミキサー５内の長手方向に進退自在に配置したベルトコンベア６の先端位置を、例えば１０秒〜９０秒範囲の中の６０秒に相当する外装領域の中間位置に調整する。そして、ベルトコンベア６を介して石灰石系粉原料３（例えば粉石灰石）および固体燃料系粉原料４（例えば粉コークス）を所定領域（ここでは外装領域の中間領域）に添加し、この固体燃料系粉原料４および石灰石系粉原料３の添加時に残余の造粒用水分を添加して、ドラムミキサー５内で外装領域に達するまでに造粒により形成された擬似粒子の周囲に、石灰石系粉原料３および固体燃料系粉原料４を付着・形成させた外装部分を有する擬似粒子を造粒する。石灰石系粉原料３および固体燃料系粉原料４は、平均粒径が１．５ｍｍ以下、好ましくは１．０ｍｍ以下とすることにより外装部分に付着し易くなり、その外表面を覆うことができる。この方法Ａは、単一のドラムミキサーを使用するケースである。なお、造粒のために添加する全造粒用水分を、石灰石系粉原料３および固体燃料系粉原料４である石灰石、粉コークスを除く焼結原料をドラムミキサー５の装入口から装入するときに、一次注水ノズル５ａから装入口を経て添加するようにしてもよい。また、固体燃料系粉原料４および石灰石系粉原料３を添加するに際して、乾燥状態で添加することが好ましい。
【００３９】
また、図１３に、別の本発明の望ましい擬似粒子構造を製造するための造粒フロー例（方法Ｂ）を示す。本発明の造粒フロー例（方法Ｂ）では、前記図１２に示すドラムミキサー５を長手方向に複数に分割して使用する例で、本例では２分割タイプを示す。図１３（Ａ）では、石灰石系粉原料および固体燃料系粉原料を除く焼結原料を装入して造粒し擬似粒子を得る第一ドラムミキサー５Ａと、第一ドラムミキサー５Ａで造粒された擬似粒子を造粒する第二ドラムミキサー５Ｂとを直列に配置し、第一ドラムミキサー５Ａの装入口入側に一次注水ノズル５ａを設け、第二ドラムミキサー５Ｂの装入口入側に二次注水ノズル５ｂを設けている。第一ドラムミキサー５Ａは、擬似粒子が造粒できる長さに設定され、また第二ドラムミキサー５Ｂは、擬似粒子の外周に石灰石系粉原料および熱源となる固体燃料系粉原料を外装・付着できる長さ、すなわち第二ドラムミキサー５Ｂの長さは、装入口から排出口に到達するまでの擬似粒子の滞留時間が、１０〜９０秒範囲になるような外装領域に相当する寸法に設定される。
【００４０】
図１３（Ａ）において、第一ドラムミキサー５Ａの装入口から鉄鉱石１とＳｉＯ２  含有原料２（珪石、蛇紋岩、Ｎｉスラグ等のＳｉＯ２  を比較的多く含有する原料）とを装入すると共に一次注水ノズル５ａから装入口を経て造粒のために添加する造粒用水分をその全添加水分量に対する重量比が装入する焼結原料１，２の原料量の全添加焼結原料量に対する重量比よりも大きい重量比で添加する。そして、第一ドラムミキサー５Ａの装入口から排出口に到達するまでの過程で造粒と崩壊を繰り返しながら粗粒の鉄鉱石１を核として、その周囲に細粒の鉄鉱石やＳｉＯ２  含有原料２を付着させて擬似粒子が造粒される。その後、該擬似粒子が第二ドラムミキサー５Ｂの装入口に装入される時に、石灰石系粉原料３と熱源となる固体燃料系粉原料４を第二ドラムミキサー５Ｂの装入口に供給し、この供給と同時に二次注水ノズル５ｂから残余の造粒用水分を第二ドラムミキサー５Ｂの装入口に供給する。これにより、第二ドラムミキサー５Ｂ内で擬似粒子の周囲に石灰石系粉原料３および固体燃料系粉原料４を外装・付着させる造粒が行われる。
【００４１】
図１３（Ｂ）は、既存ドラムミキサーが２分割タイプである場合の本発明の適用例を示したもので、後半部分のドラムミキサー５Ｂの長さが、外装時間が９０秒に相当する長さより長い場合は、図１２の例と同じく後半部分のドラムミキサー５Ｂの排出側からベルトコンベア６によって外装領域に石灰石系粉原料と熱源となる固体燃料系粉原料を供給、添加する。そして、第一ドラムミキサー５Ａの装入口入側に一次注水ノズル５ａを設け、第二ドラムミキサー５Ｂの排出口出側に二次注水ノズル５ｂを設け、、一次注水ノズル５ａから装入口を経て造粒のために添加する造粒用水分をその全添加水分量に対する重量比が装入する焼結原料１，２の原料量の全添加焼結原料量に対する重量比よりも大きい重量比で添加して焼結原料を造粒し、第二ドラムミキサー５Ｂの排出側からの固体燃料系粉原料４および石灰石系粉原料３の添加時に、二次注水ノズル５ｂから残余の造粒用水分を添加するようにしている。なお、図１３（Ａ）及び図１３（Ｂ）において、造粒のために添加する全造粒用水分を、石灰石系粉原料３および固体燃料系粉原料４である石灰石、粉コークスを除く焼結原料をドラムミキサー５Ａの装入口から装入するときに、一次注水ノズル５ａから装入口を経て添加するようにしてもよい。また、固体燃料系粉原料４および石灰石系粉原料３を添加するに際して、乾燥状態で添加することが好ましい。
【００４２】
本発明の（Ａ方法）または（Ｂ方法）によれば、粗粒の鉄鉱石１を核として、その周囲に細粒の鉄鉱石やＳｉＯ２  含有原料２が付着し、さらにその周囲に石灰石系粉原料３と固体燃料系粉原料４（コークス）を外装部に付着・形成させることができる。そして、造粒のための造粒用水分の配分を、石灰石系粉原料３および固体燃料系粉原料４を除く焼結原料、即ち鉄鉱石１及びＳｉＯ２  含有原料２を装入する際に、予め過剰に配分して造粒用水分を加えておくことにより、細粒の鉄鉱石やＳｉＯ２  含有原料２の表面に石灰石系粉原料３および固体燃料系粉原料４を付着しやすくすることができる。
【００４３】
これにより、本発明になる、ドラムミキサーの装入口から固体燃料系粉原料および石灰石系粉原料を除く焼結原料を装入すると共に造粒のために添加する造粒用水分をその全添加水分量に対する重量比が前記装入する焼結原料量の全添加焼結原料量に対する重量比よりも大きい重量比で添加して焼結原料を造粒し、焼結原料がドラムミキサーの排出口に到達するまでの滞留時間が１０〜９０秒範囲となる下流側途中に設定した領域で固体燃料系粉原料および石灰石系粉原料を添加し、この固体燃料系粉原料および石灰石系粉原料の添加時に、残余の造粒用水分を添加して、排出口に至る間に固体燃料系粉原料および石灰石系粉原料を焼結原料の外装部に付着・形成する焼結用原料の製造方法では、焼結用原料の焼結過程でＣａＯとＳｉＯ２  の反応が遅れ、冷間強度の低いカルシウムシリケート（ＣＳ）の生成が抑制され、塊表面に強度の高いカルシウムフェライト（ＣＦ）を、塊内部に向かっては被還元性の高いヘマタイト（Ｈｅ）が選択的に生成され、微細気孔が多く、被還元性に優れ冷間強度の高い焼結鉱が安定して製造可能になるのである。そして、定法の装入量に従う造粒用水分の配分に比べ、生産率、歩留、焼結時間、擬似粒子径の向上が実現できる。
【００４４】
また、焼結原料をドラムミキサーを用いて造粒するに際し、ドラムミキサーの装入口から固体燃料系粉原料および石灰石系粉原料を除く焼結原料を装入すると共に造粒のために添加する全造粒用水分を添加して焼結原料を造粒し、焼結原料が前記ドラムミキサーの排出口に到達するまでの滞留時間が１０〜９０秒範囲となる下流側途中に設定した領域で固体燃料系粉原料および石灰石系粉原料を添加し、排出口に至る間に固体燃料系粉原料および石灰石系粉原料を焼結原料の外装部に付着・形成することにより、塊表面に強度の高いカルシウムフェライト（ＣＦ）を、塊内部に向かっては被還元性の高いヘマタイト（Ｈｅ）が選択的に生成され、微細気孔が多く、被還元性に優れ冷間強度の高い焼結鉱が安定して製造可能になると共に、生産率、歩留、焼結時間、擬似粒子径の向上効果を最大限に発揮させることができる。
【００４５】
さらに、焼結原料がドラムミキサーの排出口に到達するまでの滞留時間が１０〜９０秒範囲となる下流側途中に設定した領域で添加する固体燃料系粉原料および石灰石系粉原料を、乾燥状態で添加することにより、排出口に至る間に固体燃料系粉原料および石灰石系粉原料を焼結原料の外装部に付着・形成することが容易となり、生産率、歩留、焼結時間、擬似粒子径の向上効果を最大限に発揮させることができる。
【００４６】
【実施例】
表３に示す配合割合の焼結原料を用いて、本発明の造粒フロー（方法Ａ）にて造粒した擬似粒子をドワイトロイド焼結機に輸送し、パレット上に装入した。比較のため鉄鉱石、ＳｉＯ２  含有原料、石灰石系粉原料、コークス粉を同時に混合する処理方法にて造粒した擬似粒子をドワイトロイド焼結機に輸送し、パレット上に装入する操業を行った。その後、パレット上で焼結を行い、鉱物組成、比表面積、被還元性を測定した。本発明および従来法での測定結果を表４に示した。
【００４７】
【表３】
2004190045.tif 000005
【００４８】
【表４】
2004190045.tif 000006
【００４９】
表４に示すように、本発明の造粒フロー（方法Ａ）を採用することで、鉱物組成では被還元性の高いヘマタイト（Ｈｅ）が増加し、被還元性が低いカルシウムシリケート（ＣＳ）が減少し、また。図１４に示すように、ヘマタイト（Ｈｅ）に由来する微細気孔の増加によって、従来法に比べて被還元性は５％向上した。
【００５０】
また、本発明の造粒フロー（方法Ｂ）を用いて製造した擬似粒子を同様に、ドワイトロイド焼結機に供給し、焼結を行った結果も同様であった。
また、本発明および従来法による擬似粒子の焼結体の断面をＥＰＭＡにより測定した結果を図１５に示す。従来法ではＣａ（黒い部分）が全体に分布しているのに対し、本発明法では外装部分に限ってみられ、本発明法による石灰石の外装化適用により、焼結鉱の塊内部にヘマタイトが残り、その周囲にカルシウムフェライトが生成していることが確認でき、前記図４に示すようにな塊表面に強度の高いカルシウムフェライト（ＣＦ）を、塊内部に向かっては被還元性の高いヘマタイト（Ｈｅ）を選択的に生成した焼結構造が得られたことが確認できた。
【００５１】
図１６に、被還元性（ＪＩＳ−Ｒ１）、歩留、生産率を測定した結果を示す。本発明法では、従来法に比較して被還元性（ＪＩＳ−Ｒ１）で約５％の増加、歩留で０．５％、生産率で約１８％の向上が得られた。
【００５２】
【発明の効果】
以上説明したように、本発明のうち請求項１に係る焼結用原料の製造方法によれば、ドラムミキサーの装入口から固体燃料系粉原料および石灰石系粉原料を除く焼結原料を装入すると共に造粒のために添加する造粒用水分をその全添加水分量に対する重量比が前記装入する焼結原料量の全添加焼結原料量に対する重量比よりも大きい重量比で添加して焼結原料を造粒し、焼結原料がドラムミキサーの排出口に到達するまでの滞留時間が１０〜９０秒範囲となる下流側途中に設定した領域で固体燃料系粉原料および石灰石系粉原料を添加し、この固体燃料系粉原料および石灰石系粉原料の添加時に、残余の造粒用水分を添加して、排出口に至る間に固体燃料系粉原料および石灰石系粉原料を焼結原料の外装部に付着・形成することにより、焼結用原料の焼結過程でＣａＯとＳｉＯ２  の反応が遅れ、冷間強度の低いカルシウムシリケート（ＣＳ）の生成が抑制され、塊表面に強度の高いカルシウムフェライト（ＣＦ）を、塊内部に向かっては被還元性の高いヘマタイト（Ｈｅ）が選択的に生成され、微細気孔が多く、被還元性に優れ冷間強度の高い焼結鉱が安定して製造可能になる。そして、定法の装入量に従う造粒用水分の配分に比べ、生産率、歩留、焼結時間、擬似粒子径の向上が実現できる。
【００５３】
また、本発明のうち請求項２に係る焼結用原料の製造方法によれば、ドラムミキサーの装入口から固体燃料系粉原料および石灰石系粉原料を除く焼結原料を装入すると共に造粒のために添加する全造粒用水分を添加して焼結原料を造粒し、焼結原料が前記ドラムミキサーの排出口に到達するまでの滞留時間が１０〜９０秒範囲となる下流側途中に設定した領域で固体燃料系粉原料および石灰石系粉原料を添加し、排出口に至る間に固体燃料系粉原料および石灰石系粉原料を焼結原料の外装部に付着・形成することにより、塊表面に強度の高いカルシウムフェライト（ＣＦ）を、塊内部に向かっては被還元性の高いヘマタイト（Ｈｅ）が選択的に生成され、微細気孔が多く、被還元性に優れ冷間強度の高い焼結鉱が安定して製造可能になると共に、生産率、歩留、焼結時間、擬似粒子径の向上効果を最大限に発揮させることができる。
【００５４】
更に、本発明のうち請求項３に係る焼結用原料の製造方法によれば、請求項１又は２記載の発明において、前記焼結原料がドラムミキサーの排出口に到達するまでの滞留時間が１０〜９０秒範囲となる下流側途中に設定した領域で添加する前記固体燃料系粉原料および石灰石系粉原料を、乾燥状態で添加するので、排出口に至る間に固体燃料系粉原料および石灰石系粉原料を焼結原料の外装部に付着・形成することが容易となり、生産率、歩留、焼結時間、擬似粒子径の向上効果を最大限に発揮させることができる。
【図面の簡単な説明】
【図１】従来例に係る焼結原料の混合、造粒の系統図である。
【図２】高炉における焼結鉱の被還元性とガス利用率との関係図である。
【図３】高炉におけるガス利用率と燃料比との関係図である。
【図４】望ましい焼結鉱の組織構造を説明する図である。
【図５】従来例に係る擬似粒子構造と焼結鉱の組織構造を説明する図である。
【図６】石灰石系粉原料と固体燃料系粉原料の外装実験方法を説明する図である。
【図７】外装時間と焼結鉱の被還元性の関係を示す特性図である。
【図８】外装時間を変化させた場合の擬似粒子中のＣａとＦｅの分布状況を示す図である。
【図９】造粒用水分の配分効果を見るための実験装置図である。
【図１０】表２に示す造粒用水分の配分で添加して製造した場合の焼結用原料の生産率、歩留、焼結時間、擬似粒子径の変化の結果を示す図である。
【図１１】本発明の造粒フローの一例を概略的に説明する図である。
【図１２】図１１に示す造粒フローの一例を具体的に説明する図である。
【図１３】本発明の造粒フローの他の例を具体的に説明する図である。
【図１４】本発明に係る焼結鉱中の気孔分布状況を従来例と比較して示す図である。
【図１５】本発明に係る焼結鉱中に塊中心にヘマタイトが、周辺にカルシウムフェライトが生成している効果を示す図である。
【図１６】本発明に係る被還元性、歩留、生産率を従来例と比較して示す図である。
【符号の説明】
１  鉄鉱石
２  ＳｉＯ２  含有原料
３  石灰石系粉原料
４  固体燃料系粉原料
５  ドラムミキサー
５Ａ  第一ドラムミキサー
５Ｂ  第二ドラムミキサー
５ａ  一次注水ノズル
５ｂ  二次注水ノズル
６  ベルトコンベア
【図１】
2004190045.tif 000007
【図２】
2004190045.tif 000008
【図３】
2004190045.tif 000009
【図４】
2004190045.tif 000010
【図５】
2004190045.tif 000011
【図６】
2004190045.tif 000012
【図７】
2004190045.tif 000013
【図８】
2004190045.tif 000014
【図９】
2004190045.tif 000015
【図１０】
2004190045.tif 000016
【図１１】
2004190045.tif 000017
【図１２】
2004190045.tif 000018
【図１３】
2004190045.tif 000019
【図１４】
2004190045.tif 000020
【図１５】
2004190045.tif 000021
【図１６】
2004190045.tif 000022